(57)【要約】【解決課題】  連接桿の長さを織機の構成に依存して容易に高精度に調整でき、そのコストを安くかつ信頼性の高いものとすることである。【解決手段】  本発明による織機の開口形成機構は、少なくとも１つの長さ調整可能及び／又は取り外し可能な連接桿（３”）を有し、連接桿は管状部材（３１）中を摺動するシャンク（３２）とこのシャンクを管状部材（３１）の作用位置にロックするための手段（５０，６０，６２，７０）を有する。本発明による連接桿は鞘状部材（４０）を備え、その内部容積（Ｖ41）は、管状部材（３１）に対してシャンク（３２）を受けかつ心立てするためのハウジングを形成する。鞘状部材は管状部材（３１）の内側に配設されかつ少なくとも１つのロック手段を管状部材（３１）に対して作用位置に保持する。
2007536442.tif 000002
【特許請求の範囲】
【請求項１】
織機の開口形成機構であって、該開口形成機構が、長さを調整可能及び／又は取り外し可能で、管状部材に嵌入するのに適したシャンクを備えた第１部分を有する少なくとも１つの連接桿と、該管状部材中にシャンクを位置保持するための保持手段とを有する、開口形成機構において、
連接桿（３）は、該管状部材（３１）に対して該連接桿（３２）を受けかつ心立てするためのハウジングを形成する内部容積（Ｖ41）を有する鞘状部材（４０）と嵌合しており、該鞘状部材は該管状部材の内方に位置しかつ鞘状部材自体を保持手段の少なくとも１つ（５０，６０，７０）によって該管状部材に対して相対的位置に保持するために役立つことを特徴とする前記開口形成装置。
【請求項２】
鞘状部材（４０）が少なくとも部分的に弾性変形可能であることを特徴とする、請求項１に記載の開口形成機構。
【請求項３】
鞘状部材（４０）が内側面（３７）に対して管状部材（３１）を心立てするための少なくとも１つの部分（４３，４４，４７）を有し又は形成することを特徴とする、請求項１又は２に記載の機構。
【請求項４】
前記部分が、前記ハウジング（Ｖ41）を形成する鞘状部材の部分と一体的に形成されている弾性変形可能なタブ（４３，４４）であることを特徴とする、請求項３に記載の機構。
【請求項５】
鞘状部材（４０）が合成材料から、好ましくは射出成形によってつくられていることを特徴とする、請求項１から４までのうちのいずれか１つに記載の機構。
【請求項６】
保持手段が、協働する形状（４８，４９，７３）によって管状部材（３１）中に鞘状部材（４０）によって係留されたロック部材（７０）から成り、該部材はシャンク（３２）をこれに当接して支承するように形成されていることを特徴とする、請求項１から５までのうちのいずれか１つに記載の機構。
【請求項７】
ロック部材（７０）の面（７１）が、これに当接してシャンク（３２）を支承するように構成され、 及び／又は管状部材（３１）の内側面（３７）に面しているロック部材（７０）の面（７２）が、該ロック部材とシャンク及び／又は管状部材との間の圧着力を増大させるための彫成部分（７１ａ，７２ａ）に備えていることを特徴とする、請求項６に記載の機構。
【請求項８】
彫成部分（７１ａ，７２ａ）の硬度が、シャンク（３２）及び少なくともシャンクの領域における管状部材（３１）の表面硬度よりも大きく、及び／又は管状部材が彫成部分と接触するように形成されていることを特徴とする、請求項７に記載の機構。
【請求項９】
保持手段が、鞘状部材（４０）上及び／又は管状部材（３１）上に鞘状部材上にかつ鞘状部材に形成された開口を通して力（Ｆ3 ）を作用するのに適したねじ（６２）によって取り付けられたクランプ（５０）を有し、前記力（Ｆ3 ）が，シャンクを締め付けるために役立ち、かつ前記管状部材の縦軸線（Ｘ31−Ｘ’31）に対して横切って延びる方向（Ｙ−Ｙ’）に向けられていることを特徴とする、請求項１から８までのうちのいずれか１つに記載の機構。
【請求項１０】
請求項１から９までのうちのいずれか１つに記載の開口形成機構を備えた織機。
【発明の詳細な説明】
【技術分野】
【０００１】
本発明は、織機の開口形成機構に関する。特に牽引機構に関し、牽引機構では、連接桿がドビー又は積極織機構によって発生した運動をヘルドフレームに伝達するために使用される。本発明は、また、上記のように特定された機構を有する織機にも関する。
【背景技術】
【０００２】
織機の開口形成の分野において、運動する駆動部材を織機に取り付けられた垂直に運動可能なヘルドフレームと連結する連接桿を使用することは公知である。例えば、フランス国特許出願第２８３６４８８号明細書は、力伝達連接桿が管状部材を有することができ、管状部材には遙動レバー又は駆動アームに連結するための目孔を備えた端部材が嵌合されている。開口形成機構が組み込まれるべき多くの構成を考慮すれば、連接桿を備え、連接桿はその長さを調整可能であり、目孔を有する部分を有し、管状部材に挿入されかつ管状部材における係留ナットと協働し、シャンクに当接する部材に対してシャンク上に圧着力を作用するねじを使用して管状部材の内側面にロックされるように設計されたシャンクを備えることが公知である。このような構想は、ナットに対しても支承力を受けるロック部材に対しても、保持手段が管状部材の端部の内側に設けられることを必要とする。そのような構想は、また、ナットによって得られる保持力が作用する方向に対して垂直な横断方向への障害となる運動を阻止するために、シャンク案内手段を設けることが必要である。これらの応力は、連接桿の管状部材の端部の精巧な構造に繋がり、それによってそのコストを増大させる一方で、実際に得られる精度は満足なものではない。加えて、これらの構造的配列は、シャンクを管状部材中に十分に挿入することを困難にする可能性があり、それによって連接桿の最小長さを限界値以下に短くすることができない。
【特許文献１】フランス国特許出願第２８３６４８８号明細書
【発明の開示】
【発明が解決しようとする課題】
【０００３】
本発明は、特に、これらの欠点を、新たな開口形成機構を提供することによって解消することを課題とし、その際連接桿は織機の構成に依存して容易に長さを調整されることができ、一方、経済性を有するコストでありかつ連接桿の長さが調整されることができる精度及び連接桿の信頼性は、技術分野の要求を満たしかつ織機を高速で作動させることをができるものとされる。
【課題を解決するための手段】
【０００４】
この課題を解決するために、本発明は、織機の開口形成機構を提供し、その機構は長さが調整可能及び／又は取り外し可能で、管状部材中を摺動するのに適したシャンクを備えた第１部分を有する少なくとも１つの連接桿と、管状部材中にシャンクを位置保持するための保持手段とから成り、織機の開口形成機構は、連接桿が連接桿を受けかつ管状部材に対して連接桿を心立てするためのハウジングを形成する内部容積を有する鞘状部材と嵌合されており、鞘状部材は管状部材の内側に位置し、かつ管状部材中で連接桿を保持するための保持手段の少なくとも１つによって管状部材に対して相対的位置に鞘状部材自体を位置保持するために役立つ、ことを特徴とする。
【発明の効果】
【０００５】
本発明によって、連接桿の管状部材の端に挿入された鞘状部材は複数の機能を果たし、 即ち、管状部材に対して連接桿の心立てを行なう機能、及び／又は１つ又は複数の保持手段を位置決めする機能を果たし、一方、管状部材は円滑にかつ彫成部分なしに形成され、こうして管状部材の製造を極めて容易にする。
【発明の最適な実施形態】
【０００６】
本発明の有利な、しかし不可欠ではない構成によれば、織機の開口形成機構はいくつかの技術的に実行し得る組み合わせで得られる次の特徴の１つ又は複数と協働する；即ち、
・鞘状部材が少なくとも部分的に弾性変形可能であること；
・鞘状部材が内側面に対して管状部材を心立てするための少なくとも１つの部材を有し又は形成し；該部材は有利に、シャンクを受けかつ心立てするための上記のハウジングを形成する鞘状部材の部分と一体的に形成された弾性変形可能なタブによって構成されており、このタブは管状部材の内側面の当接してこれを支承するように設計されている；
・鞘状部材は合成材料からつくられ、好ましくは射出成形によってつくられ、とくに射出成形されたプラスチック材料からつくられる。
・上記の保持手段は協働する形態によって管状部材中に鞘状部材によって保持されたロック部材から成り、ロック部材はこれに当接してシャンクを支承するように設計されている。そのような事情の下に、これに対して圧着されたシャンクを受けるロック部材の面及び管状部材の内側面に面する面とが、ロック部材とシャンクとの間及びロック部材と管状部材との間の把持力を増大させるために彫成部分を備えている。彫成部分は、好ましくは、歯を有し、歯は管状部材の縦軸線に対して横断方向に延びる。バリエーションの実施形態において、彫成部分は、スパイク、クロス溝、ローレット等である。彫成部分の硬度を、彫成部分と接触することになる連接桿及び管状部材の少なくともこれらの領域において、シャンク及び／又は管状部材の表面硬度よりも大きくすることが可能である。本発明のこの観点は、ロック部材とシャンクとの間及び／又はロック部材と管状部材との間の摩擦係数を、シャンク及び／又は管状部材の表面に対して彫成部分にミクロの同一性をもたせることによって、増大させることに役立つ。このことは本発明による機構を使用して高負荷を伝達することを可能にする。；
・保持手段は、クランプ上にかつ鞘状部材に形成された開口を通して力を作用させるのに適したねじと共に、鞘状部材及び／又は管状部材上に取り付けられたクランプから成り、力はシャンクを締め付けるために役立ち、かつ管状部材の縦軸線に対して横断方向に延びる方向に向けられている。
【０００７】
本発明は、上記のような織機の開口形成機構を備えた織機を提供する。そのような織機は従来技術の織機よりも組み立て及び／又は操作が容易である。
【０００８】
本発明は、明瞭に理解されることができかつ他の利点は、図中に参照符号によって記載されているが、本発明の原理を適用する機構の実施例の次の記載中により一層明瞭になる。
【実施例】
【０００９】
図１において、ドビー１は織機Ｍの複数のヘルドフレームを駆動するために役立ち、参照符号２で複数のヘルドフレームのただ一つだけが示されている。フレーム２は往復する垂直運動Ｆ1 によって駆動される。これを行うために、ドビー１のアクチュエータアーム１ａが斜めに延びている連接桿３によって第１遙動レバー４に連結され、遙動レバー４自体は連接桿３’によって第２遙動レバー４’に接続している。２つのレバー４と４’は、織機の構造物６に対して固定された各軸５と５’の回りに枢支されている。レバー４と４’の各々は連接桿３”によってフレーム２に接続している。
【００１０】
複数のアーム１ａ及び組の連接桿３，３’３”及びレバー４，４’は、ヘルドフレームを駆動するために設けられている。
【００１１】
連接桿３”は図２〜４に示され、管状部材３１から成り、管状部材はフレーム２に連結するための目孔３４を特定する延長部分に属するシャンク３２をその内部容積Ｖ31に受けるように設計されている。管状部分３１はレバー４に対する連接桿３の連結のための目孔３５を特定する。
【００１２】
連接桿３”は長さを調製可能かつ取り外し可能である。
【００１３】
鞘状部材４０は、容積Ｖ31の端領域Ｖ’31に挿入されるように設計されており、即ち、この容積の部分は管状部材３１の目孔３５から離れた端部３６に最も近い部分であり、シャンク３２は端部３６を通って容積Ｖ31中に進入している。
【００１４】
鞘状部材４０は合成材料、特にポリアミド又はポリアセタールの射出成形によって作られており、その結果鞘状部材はある程度の弾性を示す。鞘状部材は一体部品でありかつその本体部分４１は縦に延びかつ横断寸法がシャンク３２の横断面と一致する貫通孔を特定しかつ貫通孔をシャンクが小さい遊隙をもって移動案内されることを可能にし、一方シャンクは貫通孔中に挿入されて管状部材３１に鞘状部材４０によって取り付けられる。
【００１５】
本体部分４１中の中央の貫通孔の内部容積Ｖ41はシャンク３２を受けかつ案内するためのハウジングを構成し、一方、シャンクはそこに挿入されかつ後にそこから引き出される。
【００１６】
鞘状部材４０はカラー部分４２を備え、カラー部分は矢印Ｆ2 の方向への鞘状部材４０の挿入運動を制限するために、管状部材３１の端部３６に突き当たるようになる。
【００１７】
管状部材３１の全横断面は、参照符号３１１、３１２で示されるその長辺とその短辺３１３，３１４とを有する矩形である。鞘状部材４０の横断寸法は、管状部材３１の内側表面３７に対して圧着によって心立てを可能にするように設計されている。これを行うために、鞘状部材４０は２つの弾性変形可能なタブ４３と４４とを備え、これらは本体部分４１と一体的に形成されておりかつ管状部材３１の短辺３１３，３１４に突き当たるように設計されており、 こうしてハウジングとしての内部容積Ｖ41の中央軸線Ｘ41が管状部材３１の縦軸線Ｘ31−Ｘ’31と平行に保持されることを可能にする。
【００１８】
鞘状部材４０の幅ｌ40は管状部材３１の長辺３１１と３１２との間の距離ｄ31と実質的に等しく、その結果鞘状部材４０は管状部材３１中に挿入された場合にこれらの側面に対して圧着されて横方向を保持される。
【００１９】
鞘状部材４０の幅は、軸線Ｘ41に対して斜めの４つのくさびによって容積Ｖ31に正確に嵌合され、くさびはカラー部分４２の方向に広がりかつ本体部分４１の側面に対して対に配置され、くさびの２つは図４の観る側に面する本体部分４１の側面４１ａ上に参照符号４７で見ることが出来る。
【００２０】
鞘状部材４０は２つの開口４５と４６とを有し、鞘状部材４０が管状部材３１の位置を占める場合に、開口４５と４６が管状部材３１のそれぞれ短辺３１３，３１４に面するように設計されている。
【００２１】
クランプ５０は、鞘状部材４０に対して装着されかつ鞘状部材が管状部材３１中に位置を占める場合に管状部材３１の短辺３１３の外側を押すための第１部ブランチ５１を有する。 クランプ５０はまた、第２部ブランチ５２を有し、第２部ブランチは軸線Ｘ41の方向に対して一般的に平行な方向に延びかつブランチ５２に対して一般的に垂直に延びるリップ５３で終わっている。クランプ５０が装着された場合に、そのブランチ５２は開口４５を備えた鞘状部材４０中に延び、かつそのリップ５３は管状部材３１の短辺３１３の方向に向けられている。
【００２２】
矩形ナット６０は、ブランチ５２と管状部材３１の短辺３１３との間に位置しかつ短辺３１３に形成された孔３８を通るねじ６２のシャンク６１を受ける。
【００２３】
こうして、ナット６０のねじ孔６３にねじ６３を締め付けることは、軸線Ｘ−Ｘ’に対して垂直でかつ管状部材３１の長辺３１１，３１２に対して平行な方向Ｙ−Ｙ’にねじの位置を整直させることを可能にする。このことは、管状部材３１の短辺３１４に向かうスラスト力Ｆ3 をブランチ５２上に作用させ、この力はシャンクが容積Ｖ41中に嵌合された場合にシャンク３２に伝達される。
【００２４】
ロック部材７０は開口４６中に置かれかつその参照符号７１で示される面は、容積Ｖ41の方向に面しており、かつその参照符号７２で示される面は、管状部材３１の短辺３１４に面している。面７１及び７２は平行であり、かつ少なくとも端部３６に最も近い短辺３１４の領域における内側面３７の表面硬度よりも大きな硬度でかつシャンク３２の表面よりも硬い各歯７１ａ，７２ａを備えている。
【００２５】
歯７１ａ，７２ａは軸線Ｘ31−Ｘ’31及び方向Ｙ−Ｙ’に対して垂直の方向Ａ−Ａ’に延びる。
【００２６】
ロック部材７０は、鞘状部材４０によって形成されたスタブ４８及び４９に支承されることを可能にする２つのスタブ７３を備え、それによってロック部材７０がその面７１が開口４６を通りかつ図３の図形中の容積Ｖ41に向かう場合でも、 ロック部材７０が開口４６を通過することを防止し、こうしてロック部材７０が力Ｆ3 の作用により圧着されるシャンク３２を受けることを可能にする。
【００２７】
こうして容積Ｖ41は、シャンク３２を受けるためのハウジングを構成し、一方、クランプ５０，ナット６０，ねじ６２及びロック部材７０は，方向Ｙ−Ｙ’においてシャンク上に力Ｆ3 が作用することを可能にする。
【００２８】
力Ｆ3 の下にシャンク３２がロック部材７０の歯７１ａに確実に圧着され、一方、歯７２ａは管状部材３１の短辺３１４である側面に確実に圧着される。管状部材３１及びシャンク３２の表面硬度に匹敵する相対的硬度がこれらの歯に付与されると、歯は対面する部分に対してミクロの同一性を有し、それによってシャンク３２とロック部材７０の間の摩擦係数及び方向Ａ−Ａ’が軸線Ｘ31−Ｘ’31に対して垂直であるために特にロック部材７０と管状部材３１との間の摩擦係数が著しく増大する。それにもかかわらず、斜めの又はクロスした歯、ローレット又はスパイクによって歯７１ａ及び／又は７２ａを置き換えることによって、良好な結果が得られることが出来る。
【００２９】
タブ４３と４４とくさび４７は容積Ｖ31内に鞘状部材４０が心立てされることを可能にする。これらはシャンク３２の軸線Ｘ32−Ｘ’32と軸線Ｘ31−Ｘ’31との間の整列誤差を吸収するために弾性的に変形することができる。
【００３０】
本体部分４１の開口の長さＬ41は、シャンク３２を効果的に案内しかつ支持するために十分であり、一方両者は矢印Ｆ4 の方向に沿って挿入され、かつ一方力Ｆ3 によって係留される。実際に、この長さＬ41はナット６０又はロック部材７０の長さ寸法よりも小さくない。
【００３１】
連接桿３”は組み立てられかつ開口４６中に部分的にロック部材７０を挿入することによって長さを調整され、一方クランプ５０は鞘状部材４０に掛け止めされ、ナット６０はブランチ５２に圧着される。クランプ５０及びナット６０は鞘状部材４０上に作用するブランチ５１によって位置保持されている。スタブ４８，４９と７３との間の協働によって保持されるので、容積Ｖ41の方向へのロック部材７０の移動の危険はない。その後、この方法で嵌合された鞘状部材４０は矢印Ｆ2 の方向で管状部材３１中に挿入される。ねじ６２はそれからねじ孔６３に嵌合し、要素４０，５０，６０，７０が緩むことを不可能にする。その後、ねじ６２が保持力Ｆ3 を作用させるために締め付けられた後、シャンク３２は鞘状部材４０及び管状部材３１中に、所望の長さが連接桿３”に得られるまで、矢印Ｆ4 の方向に挿入される。ねじ６２を緩めることによって、連接桿の長さを変更し又は取り外すことが可能にされる。
【００３２】
管状部材３１は製造が特別簡単でコストが安い。
【００３３】
織機Ｍの他の連接桿３と３”は連接桿３”と同一の原理で設けられることができる。異なる実施形態として、連接桿のいくつかが長さを調整可能又は取り外しに適する必要がない。
【産業上の利用可能性】
【００３４】
本発明は積極ドビーを有する織機に限られず、上記のフレームに適した連接桿を有して、消極ドビーを有する織機にも適用され、かつカム機構を有する機械的な織機に適用される。
【図面の簡単な説明】
【００３５】
【図１】図１は、本発明による織機の原理を示す概念図である。
【図２】図２は、図１の織機の連接桿の１つの原理的縦断面図である。
【図３】図３は、組み合わされた連接桿を示す図２と同様な図である。
【図４】図４は、図２，３の連接桿の部分の分解斜視図である。
【符号の説明】
【００３６】
３      連接桿
３１    管状部材
３２    連接桿
３７    内側面
４０    鞘状部材
４１    鞘状部材の部分
４２    カラー部分
４３    心立て部材（タブ）
４４    心立て部材（タブ）
４５    開口
４７    心立て部材
４８    スタブ（協働する形状）
４９    スタブ（協働する形状）
５０    保持手段
６０    保持手段
６２    ねじ    
７０    保持手段（ロック部材）
７１    ロック部材７０の面
７１ａ    彫成部分
７２ａ    彫成部分
７２      ロック部材７０の面
７３    スタブ（協働する形状）
Ｆ3     力
Ｖ41    内部容積
Ｘ 31 ーＸ’ 31     縦軸線
Ｙ−Ｙ’方向
【図１】
2007536442.tif 000003
【図２】
2007536442.tif 000004
【図３】
2007536442.tif 000005
【図４】
2007536442.tif 000006
【国際調査報告】
2007536442.tif 000007
2007536442.tif 000008
2007536442.tif 000009
2007536442.tif 000010